(57)【特許請求の範囲】
【請求項１】
遊技用記録媒体や遊技度数を貸し出す貸出手段と、前記遊技用記録媒体に記録された前記遊技度数を精算する精算手段とを備えるとともに、
該貸出手段の操作部をカバーする開閉自在なカバー体と、該カバー体を閉規制する規制手段とを備え、
該規制手段を、
通常使用時において前記カバー体を閉規制し、非通常使用時に前記カバー体の閉規制を解除する
精算機。
【請求項２】
前記カバー体を、精算機本体の前面に配置するとともに、閉状態において本体前面に対して面一となるよう構成し、
前記カバー体の底部付近に、前記精算機本体に対して枢動する枢動部を備え、
該枢動部を、前記カバー体の開動作に応じて前方に移動する構成とするとともに、
該枢動部より上方に、前記規制手段を配置した
請求項１に記載の精算機。
【請求項３】
通常でない非通常状態を示す非通常状態情報に基づいて、前記規制手段による閉規制を解除制御する制御手段を備えた
請求項１又は２に記載の精算機。
【請求項４】
前記非通常状態を報知する報知手段を備えるとともに、
前記制御手段が、前記非通常状態情報に基づいて、前記報知手段を実行制御する
請求項３に記載の精算機。
【発明の詳細な説明】
【技術分野】
【０００１】
この発明は、例えば、遊技用記録媒体に書き込まれ、遊技装置で遊技するための有価価値を特定する遊技度数を精算する精算機に関し、詳しくは、遊技用記録媒体や、遊技用記録媒体に書き込む遊技度数を貸し出す貸出機能を備えた精算機に関する。
【背景技術】
【０００２】
従来から、有価価値を特定する遊技度数が書き込まれた遊技用記録媒体を用いて遊技する遊技装置がある。このような遊技装置が複数まとまって島配置され、遊技店舗内において複数の遊技島が存在している。
【０００３】
そして、一般的に、特許文献１に開示されたように、各遊技装置それぞれや、隣り合う遊技装置の間に、遊技用記録媒体や、遊技用記録媒体に書き込む遊技度数を貸し出す貸出ユニットが設けられ、遊技者は、貸出ユニットに現金を投入して遊技用記録媒体や、遊技度数を借り受けて遊技する。
【０００４】
なお、貸出ユニットに投入された現金は、遊技島ごとに収集される。詳しくは、貸出ユニットに投入された現金は、遊技島内部に設けられた搬送手段によって搬送されて収集される。このため、店舗スタッフ等の管理者は、投入された現金を各貸出ユニットから回収する必要がなくなり、効率化を図ることができるとともに、現金回収時における貸出ユニットからの貸し出し処理を停止する必要がなくなり、遊技者にとっての利便性を向上することができる。
【０００５】
しかし、現金収集時に紙幣詰まり等の搬送不良が生じた場合、搬送手段が停止するとともに、貸出ユニットの貸し出し機能が停止する。このように、貸し出し機能が停止すると、遊技者は新たな遊技用記録媒体や遊技度数の借り受けができなくなり、遊技度数のない遊技者は遊技できなくなるといった問題があった。
【０００６】
そこで、各遊技装置に対して設ける貸出ユニット以外に、遊技店舗内に別の貸出機を設置し、貸出ユニットの貸し出し機能停止時にも貸し出し可能にすることが考えられる。この場合、遊技店舗内には、遊技終了した遊技者が、遊技用記録媒体に残った遊技度数を精算する精算機や、例えば出玉等の景品を計数するための計数機が設置されており、設置スペースの問題等によって、これら精算機や計数機の代わりに、別の貸出機を設置することとなる。
【０００７】
しかし、精算機や計数機は、営業終了時に利用が集中するため、精算機や計数機の設置台数を減らすことによって、精算や計数のための待機時間が長くなり、遊技者にとって不便であるとともに、管理者の営業終了処理が遅くなるといった別の問題が生じることとなる。
【先行技術文献】
【特許文献】
【０００８】
【特許文献１】特開平９−３０８７６０号公報
【発明の概要】
【発明が解決しようとする課題】
【０００９】
この発明は、上述した問題に鑑み、精算機の設置台数を減らすことなく、トラブル等が発生した非通常使用時において、貸出処理できる精算機の提供を目的としている。
【課題を解決するための手段】
【００１０】
この発明は、遊技用記録媒体や遊技度数を貸し出す貸出手段と、前記遊技用記録媒体に記録された前記遊技度数を精算する精算手段とを備えるとともに、該貸出手段の操作部をカバーする開閉自在なカバー体と、該カバー体を閉規制する規制手段とを備え、該規制手段を、通常使用時において前記カバー体を閉規制し、非通常使用時に前記カバー体の閉規制を解除する精算機であることを特徴とする。
【００１１】
上記遊技用記録媒体は、内部に配置したＩＣや磁気によって遊技度数を記録可能なコイン状やカード状の記録媒体とすることができる。  
上記遊技用記録媒体や遊技度数を貸し出す貸出手段は、例えば、投入された現金に基づいて有価価値の記録された遊技用記録媒体を貸し出したり、既に貸し出された遊技用記録媒体に対して遊技度数を書き込む、つまり遊技度数を貸し出す手段とすることができる。
【００１２】
上記貸出手段の操作部は、紙幣等の現金の入金や返却のための現金投入口、新たな遊技用記録媒体の貸し出しを操作したり、あるいは既に貸し出された遊技用記録媒体に対する遊技度数の書き込みを操作する操作ボタン等とすることができる。
【００１３】
上記カバー体を閉規制する規制手段は、例えば、カバー体を閉状態で施錠する電子錠や、カバー体を開閉駆動するソレノイド等とすることができる。  
上記非通常使用時は、例えば、当該精算機が設置利用される遊技店舗内におけるその他の装置の不具合等によって、当該精算機において通常使用時には使用しない貸出手段の使用を要するような状況とすることができる。
【００１４】
上記通常使用時において前記カバー体を閉規制し、非通常使用時に前記カバー体の閉規制を解除するということは、例えば、電子錠で構成する規制手段である場合、施錠状態を解錠することとなる。
【００１５】
この発明の構成により、精算機の設置台数を減らすことなく、トラブル等が発生した非通常使用時において、貸出処理することができる。  
詳しくは、非通常使用時に貸出処理するために、別の貸出機を設置すると、設置スペースの問題等によって、精算機の代わりに設置することとなる。この場合、営業終了時に利用が集中する精算機の設置台数を減らすことによって、精算待機時間が長くなり、遊技者にとって不便であるとともに、管理者の営業終了処理が遅くなるといった別の問題が生じる。しかし、精算機に、貸出手段及び精算手段を備えることにより、精算機の設置台数を減らすことなく、非通常使用時において、貸出処理することができる。
【００１６】
また、精算手段のみを利用する通常使用時においては、貸出手段の操作部をカバーする開閉自在なカバー体を、規制手段で閉規制しているため、貸出手段に対する悪戯や不正を防止することができ、貸出手段を備えていない通常の精算機に比べてセキュリティ性の低下を防止することができる。
【００１７】
この発明の態様として、前記カバー体を、精算機本体の前面に配置するとともに、閉状態において本体前面に対して面一となるよう構成し、前記カバー体の底部付近に、前記精算機本体に対して枢動する枢動部を備え、該枢動部を、前記カバー体の開動作に応じて前方に移動する構成とするとともに、該枢動部より上方に、前記規制手段を配置することができる。
【００１８】
上述のカバー体の開動作に応じて前方に移動する枢動部は、カバー体の開動作途中に前方移動することや、カバー体の開動作の前に前方移動することを含む概念である。なお、枢動部の移動方向である前方は、正面前方、あるいは上下斜め前方を含む概念である。
【００１９】
この発明の構成により、精算機の意匠性を損なうことなく、貸出手段を備えることができる。  
詳しくは、カバー体を、精算機本体の前面に配置するとともに、閉状態において本体前面に対して面一となるよう構成しているため、カバー体が閉状態である通常使用時において、貸出手段を備えたことによる精算機本体の外観に影響を与えない。
【００２０】
また、本体前面から突出する態様でカバー体を備えた場合と比較して、カバー体が閉状態である通常使用時において、本体前面から突出するカバー体に引っ掛かるといった不具合の発生を防止することができる。
【００２１】
また、カバー体の底部付近に、前記精算機本体に対して枢動する枢動部を備え、枢動部を、前記カバー体の開動作に応じて前方に移動する構成とするとともに、枢動部より上方に、規制手段を配置することにより、規制手段による閉規制が解除された状態のカバー体は、前方に移動した枢動部を回転軸として、１８０度枢動した状態、つまり、本体前面に沿った形でカバー体を開放することができる。
【００２２】
したがって、カバー体が開放した開状態であっても、精算機本体の外観に与える影響を極めて少なくすることができる。さらにまた、カバー体が開状態である非通常使用時において、本体前面から突出するカバー体に引っ掛かるといった不具合の発生を防止することができる。
【００２３】
またこの発明の態様として、通常でない非通常状態を示す非通常状態情報に基づいて、前記規制手段による閉規制を解除制御する制御手段を備えることができる。
【００２４】
上記非通常状態を示す非通常状態情報は、例えば、遊技島の貸出ユニットで投入された現金を搬送する搬送手段における紙幣詰まり等の発生情報、紙幣詰まり等によって貸出ユニットにおける貸出機能の停止情報、あるいは不正操作の入力情報等の貸出機に関する非通常状態の情報とすることができる。さらには、遊技島毎に設置される制御端末から受信する非通常状態情報、遊技店舗全体を制御する管理端末から受信する非通常状態情報、あるいは、搬送手段や貸出ユニットから直接受信する非通常状態情報とすることができる。  
この発明の構成により、非通常状態情報によって、規制手段によるカバー体の閉規制を解除して、貸出手段の貸出操作部の利用を許容することができる。
【００２５】
またこの発明の態様として、前記非通常状態を報知する報知手段を備えるとともに、前記制御手段が、前記非通常状態情報に基づいて、前記報知手段を実行制御することができる。
【００２６】
上記報知手段は、光によって非通常状態を報知するランプ、音によって非通常状態を報知するスピーカ、メッセージ等の画面表示によって非通常状態を報知する表示画面、あるいはこれらの組み合わせとすることができる。
【００２７】
なお、例えば、光、音、あるいはメッセージ等によって非通常状態を報知するということは、点滅パターンの変更や点灯消灯の切替え等の光、音あるいは画面表示を通常使用時と非通常使用時とで変化させることで、非通常状態を報知することである。
【００２８】
この発明の構成により、非通常状態であることを早急に報知することができるので、非通常使用時における精算機の貸出手段の貸出し機能をすぐに使用することができ、遊技者を待たせる必要がない。また、報知手段が画面表示によって、非通常状態であることを報知する場合、メッセージが表示されて貸出機能を使用することができるため、遊技者は戸惑うことなく使用することができる。
【発明の効果】
【００２９】
この発明により、精算機の設置台数を減らすことなく、トラブル等が発生した非通常使用時において、貸出処理できる精算機を提供することができる。
【図面の簡単な説明】
【００３０】
【図１】遊技店舗内における島設置図。
【図２】遊技店舗内における遊技システムのシステム構成図。
【図３】貸出機能付精算機の外観図。
【図４】貸出機能付精算機のブロック図。
【図５】貸出部カバーの開閉動作について説明する説明図。
【図６】貸出部カバー、枢動軸部及びスライド軸受けの動作についての説明図。
【図７】異常時の貸出処理フロー図。
【図８】復旧時の貸出処理フロー図。
【図９】別のパターンの貸出機能付精算機のブロック図。
【図１０】別のパターンの貸出機能付精算機の貸出処理フロー図。
【図１１】別のパターンの枢動軸部及びへ字状軸受けの動作についての説明図。
【発明を実施するための形態】
【００３１】
この発明の一実施形態を以下図面と共に説明する。  
図１は遊技店舗内における島設置図を示し、図２は遊技店舗内における遊技システム１のシステム構成図を示している。また、図３は貸出機能付精算機１０の外観図を示し、図４は貸出機能付精算機１０のブロック図を示している。
【００３２】
さらに、図５は貸出部カバー５１の開閉動作について、貸出部カバー５１付近の拡大斜視図によって説明する説明図を示し、図６は貸出部カバー５１、枢動軸部５２及びスライド軸受け５３の動作について、貸出部カバー５１、枢動軸部５２及びスライド軸受け５３付近の拡大断面図による説明図を示している。
【００３３】
なお、図５（ａ）は閉状態、図５（ｂ）は枢動軸部５２及びスライド軸受け５３の前方スライド状態、図５（ｃ）は貸出部カバー５１の完全開放状態を示している。図６（ａ）は閉状態、図６（ｂ）は貸出部カバー５１の開放開始状態、図６（ｃ）は枢動軸部５２及びスライド軸受け５３の前方スライド状態、図６（ｄ）は枢動軸部５２及びスライド軸受け５３の完全開放状態を示している。  
また、図７は異常時の貸出処理フロー図を示し、図８は復旧時の貸出処理フロー図を示している。
【００３４】
本発明の貸出機能付精算機１０は、遊技店舗に配置される遊技システム１の一部を構成している。  
遊技システム１は、図２に示すように、貸出機能付精算機１０、媒体貸出管理装置１１０、遊技店管理装置１２０、遊技台１３０、隣り合う遊技台１３０同士の間に配置された貸出ユニット１４０、及び計数機１５０で構成し、それぞれは伝送回線１６０で相互に接続されている。
【００３５】
なお、遊技システム１の遊技台１３０は、ＩＣチップを内蔵した遊技用ＩＣコイン等の遊技用記録媒体にチャージした遊技度数を使って遊技玉や遊技メダル等の遊技媒体を借り受け、遊技する装置である。
【００３６】
媒体貸出管理装置１１０は、ＣＰＵとＲＯＭとＲＡＭで構成される管理ＰＣであり、必要な各種プログラムを記憶し実行するとともに、遊技用記録媒体や遊技度数等の貸し出しに関する媒体貸出情報データを格納する媒体貸出管理データベース１１１を備えている。
【００３７】
遊技店管理装置１２０は、ＣＰＵとＲＯＭとＲＡＭで構成され、スタッフ等の管理者が管理する管理ＰＣであり、必要な各種プログラムを記憶し実行するとともに、遊技台の稼働状況等の遊技台に関する各種情報データを格納する遊技台管理データベース１２１を備えている。
【００３８】
遊技台１３０は、図１に示すように、複数台を並べて遊技島２００を構成し、各遊技台１３０の左側に貸出ユニット１４０を配置している。  
貸出ユニット１４０は、各遊技台１３０の左側に配置され、遊技者が遊技台１３０で遊技するための遊技度数を貸し出したり、遊技度数を記録する遊技用記録媒体を貸し出すユニットである。
【００３９】
詳しくは、貸出ユニット１４０は、図示省略する紙幣投入口と、操作部と、遊技用媒体装着部と、遊技媒体搬出部とを備えている。そして、遊技者による紙幣の投入及び操作部の操作によって、遊技用記録媒体の貸出や、遊技用媒体装着部に装着された遊技用記録媒体に遊技度数を書き込んでチャージしたり、使用する遊技度数に対する遊技媒体を貸出するユニットである。
【００４０】
計数機１５０は、出玉等の遊技媒体の数を計数する装置である。なお、計数機１５０は、遊技島２００の一端部側の側面に設置され、遊技島２００の他端部側の側面には金庫１８０を設置している。そして、貸出ユニット１４０から投入された現金は、遊技島２００内部に配置された搬送手段によって、金庫１８０まで搬送される。また、遊技島２００の内部には、搬送手段や貸出ユニット１４０でのトラブルを検出する検出センサ１７０を備え、検出センサ１７０で検出した結果は、遊技店管理装置１２０に送信される。
【００４１】
また、計数機１５０は、３つの遊技島２００のうち、外側２つの遊技島２００の一端部側の側面に設定され、３つの遊技島２００のうち、内側の遊技島２００の一端部側の側面には、貸出機能付精算機１０を設定している。
【００４２】
貸出機能付精算機１０は、図３，４に示すように、ＣＰＵ２０、液晶ディスプレイ２１（以下において、ＬＣＤ２１という）、精算部３０、及び貸出部４０で構成し、図２に示すように、伝送回線１６０に接続されている。
【００４３】
貸出機能付精算機１０は、図３に示すように、略四角柱状に形成し、貸出部４０を構成する報知ランプ４５を上面に備え、ＬＣＤ２１を本体前面扉１０ａの右上に、貸出部４０のカバー機構５０を構成する貸出部カバー５１をＬＣＤ２１の下方に、精算部３０を構成する記録媒体入出口３１を左中程に、精算部３０を構成する硬貨返却口３２、紙幣返却口３３を中央下側に配置している。
【００４４】
詳しくは、ＣＰＵ２０は、図示省略するＲＯＭ及びＲＡＭとともに構成し、必要な各種プログラムを実行し、ＬＣＤ２１、精算部３０及び貸出部４０を制御している。  
ＬＣＤ２１は、ＣＰＵ２０の制御によって、操作内容等を画面表示する画面である。
【００４５】
精算部３０は、上述したように、記録媒体入出口３１、硬貨返却口３２及び紙幣返却口３３を備え、記録媒体入出口３１に投入された遊技用記録媒体に書き込まれた遊技度数を精算し、硬貨返却口３２及び紙幣返却口３３から現金を返却する機構である。
【００４６】
貸出部４０は、貸出機構４１、送受信部４２、電子錠４３、電子ストッパ４４、報知ランプ４５、カバーセンサ４６及びカバー機構５０で構成している。  
貸出機構４１は、図５（ｃ）に示すように、紙幣投入口４１ａや操作ボタン４１ｂ等で構成するとともに、紙幣投入口４１ａから投入された金額に対応する遊技度数を、記録媒体入出口３１に投入された遊技用記録媒体に書き込んだり、遊技用記録媒体を貸し出す構成である。
【００４７】
送受信部４２は、遊技島２００内部に配置された検出センサ１７０によって検出され、遊技店管理装置１２０に送信された異常情報を異常信号として、遊技店管理装置１２０から受信したり、遊技店管理装置１２０に復旧情報を復旧信号として送信する構成である。
【００４８】
電子錠４３は、カバー機構５０の貸出部カバー５１に対して電磁力で施錠する電子錠であり、ＣＰＵ２０によって開閉制御されている。そして、閉状態の貸出部カバー５１の上部に対して作用するよう、本体前面扉１０ａ内側において操作ボタン４１ｂの上部に電子錠４３を配置している。なお、電子錠４３は、幅方向に２つ配置され、その間にマグネットキャッチャ４３ａを配置している。
【００４９】
電子ストッパ４４は、貸出部カバー５１の開状態を電磁力で保持するストッパであり、ＣＰＵ２０によってＯＮ／ＯＦＦ制御されている。そして、開状態の貸出部カバー５１の下部に対して作用するように、本体前面扉１０ａの内側に配置されている（図５（ａ））。
【００５０】
報知ランプ４５は、送受信部４２が遊技店管理装置１２０からトラブル信号を受信したことで点灯する回転灯であり、ＣＰＵ２０によってＯＮ／ＯＦＦ制御されている。
【００５１】
カバーセンサ４６は、カバー機構５０の貸出部カバー５１の開閉を検出するセンサであり、検出結果をＣＰＵ２０に送信する構成である。そして、閉状態の貸出部カバー５１に対して作用するように、本体前面扉１０ａ内側に配置されている。
【００５２】
カバー機構５０は、図５（ｃ）に示すように、下辺部分に枢動軸部５２を有する正面視略四角形の貸出部カバー５１と、本体前面扉１０ａ側において、枢動軸部５２の両側で、前後方向にスライド可能なスライド軸受け５３とで構成している。
【００５３】
なお、貸出部カバー５１は、本体前面扉１０ａにおいて、貸出機構４１や電子錠４３等を配する操作部分の前方の開口部１０ｂにはまり込む態様で、閉状態において面一となるよう構成している。
【００５４】
また、スライド軸受け５３は、図６に示すように、枢動軸部５２の軸を受ける軸受け部分の後方において、本体に固定された固定ピン５４と、固定ピン５４を前後方向に遊嵌するスライド長孔５５とで構成している。
【００５５】
したがって、図５，６に示すように、電子錠４３の解錠状態において、貸出部カバー５１の上部が矢印Ｆ方向に押えられると、マグネットキャッチャ４３ａの反発力によって、貸出部カバー５１の上部が開くとともに、枢動軸部５２とスライド軸受け５３が前方にスライドする（図５（ｂ），図６（ｂ），（ｃ））。
【００５６】
さらに、貸出部カバー５１が開くと、貸出部カバー５１の下辺を支点として枢動するため、枢動軸部５２とスライド軸受け５３が前方にスライドし、閉状態に対して１８０度まで貸出部カバー５１を開くことができる（図５（ｃ），図６（ｄ））。
【００５７】
そして、この全開状態の貸出部カバー５１に対して、本体前面扉１０ａ内部に配置した電子ストッパ４４の電磁力を作用させて、貸出部カバー５１の全開状態をキープすることができる。
【００５８】
上記したような構成でカバー機構５０を構成したことにより、図５（ａ）に示すように、貸出部カバー５１が閉状態の場合、貸出部カバー５１は開口部１０ｂに嵌り込んで貸出部カバー５１と本体前面扉１０ａとが面一状態となり、カバー機構５０を設けたことによる貸出機能付精算機１０の意匠性が低下することを防止できる。
【００５９】
また、貸出部カバー５１の上部が開くとともに、枢動軸部５２とスライド軸受け５３が前方にスライドするようカバー機構５０を構成したことによって、閉状態に対して１８０度まで貸出部カバー５１を開くことができる（図５（ｃ），図６（ｄ））。
【００６０】
したがって、スライド軸受け５３が前方にスライドせず、開口部１０ｂの下部と枢動軸部５２とが接触し、貸出部カバー５１が途中の開状態で止まる場合と比較し、全開状態において貸出部カバー５１が開口部１０ｂ下方の本体前面扉１０ａに沿うため、出っ張りが少なく安全性が高いとともに、全開状態における意匠性の低下を防止することができる。
【００６１】
また、この全開状態の貸出部カバー５１に対して、本体前面扉１０ａ内部に配置した電子ストッパ４４の電磁力を作用させて、貸出部カバー５１の全開状態をキープすることができるため、開状態の貸出部カバー５１がばたつくことなく、安全性を確保することができる。
【００６２】
次に、このように構成した貸出機能付精算機１０を備えた遊技システム１における貸出処理フローについて、図７及び図８とともに説明する。  
まず、異常時の貸出処理フロー図である図７に示すように、遊技島２００内部に配置された検出センサ１７０によって検出された異常信号を、遊技店管理装置１２０を介して送受信部４２が受信すると（ステップｓ１）、貸出ユニット１４０での貸出機能が停止する。
【００６３】
したがって、その間、貸出ユニット１４０での遊技用記録媒体に新たな遊技度数をチャージしたり、遊技媒体を貸し出しができなくなる。そこで、ＣＰＵ２０は貸出機能付精算機１０における貸出処理を開始し（ステップｓ２）、貸出処理開始を報知するため報知ランプ４５を点灯させるとともに、電子錠４３を解錠する（ステップｓ３）。
【００６４】
さらには、ＣＰＵ２０の制御によって、「カバーを開けて下さい」をＬＣＤ２１に画面表示する（ステップｓ４）。このＬＣＤ２１への画面表示は、スタッフ等の管理者によって貸出部カバー５１が開けられたことをカバーセンサ４６で検出するまで繰り返され（ステップｓ５：Ｎｏ）、カバーセンサ４６が貸出部カバー５１の開放を検出すると（ステップｓ５：Ｙｅｓ）、電子ストッパ４４を作用させて、貸出部カバー５１の開状態をキープする（ステップｓ６）。
【００６５】
この状態になって、貸出機能付精算機１０の貸出部４０を遊技者が利用できるため、ＬＣＤ２１に「紙幣を投入してください」と表示する（ステップｓ７）。このＬＣＤ２１への画面表示は、遊技者によって紙幣投入口４１ａに紙幣が投入されるまで繰り返され（ステップｓ８：Ｎｏ）、紙幣投入口４１ａに紙幣が投入されると（ステップｓ８：Ｙｅｓ）、遊技用記録媒体を発行し（ステップｓ９）、貸出機能付精算機１０による貸出処理フローにおける遊技用記録媒体の発行処理を終了する（ステップｓ１０）。なお、遊技用記録媒体を発行する代わりに、既に貸し出された遊技用記録媒体に遊技度数を書き込む書き込み処理を行ってもよい。
【００６６】
上述のこのような貸出機能付精算機１０による遊技用記録媒体の発行処理（ステップｓ７〜９）は、遊技島２００におけるトラブルが解消するまで繰り返される。
【００６７】
次に、復旧時における貸出処理フローについて説明する。復旧時の貸出処理フロー図である図８に示すように、遊技島２００内部に配置された検出センサ１７０によってトラブルの解消による貸出ユニット１４０の復旧が検出され、遊技店管理装置１２０を介して送受信部４２が復旧信号を受信すると（ステップｔ１）、ＣＰＵ２０は、カバーセンサ４６で貸出部カバー５１の開閉状態を確認する（ステップｔ２）。
【００６８】
カバーセンサ４６によって貸出部カバー５１が開放状態であることを検出すると（ステップｔ２：Ｙｅｓ）、貸出部カバー５１が開放状態であることを示す開放信号を送受信部４２で遊技店管理装置１２０に送信するとともに（ステップｔ３）、電子ストッパ４４をリリースして（ステップｔ４）、ＬＣＤ２１に「カバーを閉めて下さい」と画面表示する（ステップｔ５）。
【００６９】
この画面表示は貸出部カバー５１の閉状態をカバーセンサ４６で検出するまで繰り返され、カバーセンサ４６が貸出部カバー５１の閉状態を検出すると（ステップｔ２：Ｎｏ）、電子錠４３を施錠するとともに、報知ランプ４５を消灯する（ステップｔ６）。そして、貸出機能付精算機１０による遊技用記録媒体の貸出機能を停止し（ステップｔ７）、貸出機能付精算機１０を備えた遊技システム１における貸出処理フローを終了する。
【００７０】
このように、貸出機能付精算機１０を備えた遊技システム１は、遊技島２００におけるトラブルによって貸出ユニット１４０の貸出機能が停止したことを異常信号として送受信部４２で受信すると、貸出部カバー５１を開放して、貸出部４０の貸出機構４１を利用可能にする。
【００７１】
つまり、送受信部４２で遊技島２００の異常信号を受信しない限り、貸出機能付精算機１０における貸出機構４１の利用を貸出部カバー５１で規制しているため、トラブルの生じていない正常時において、貸出部４０に対する悪戯や不正を防止することができ、貸出部４０を備えていない通常の精算機に比べてセキュリティ性の低下を防止することができる。
【００７２】
また、貸出機能付精算機１０に貸出部４０を備えているため、精算機の設置台数を減らすことなく、トラブル等が発生した異常時において、貸出処理することができる。
【００７３】
詳しくは、異常時に遊技用記録媒体の貸出処理するために、別の貸出機を精算機の代わりに設置すると、営業終了時に利用が集中する精算機の設置台数を減らすこととなり、精算待機時間が長くなり、遊技者にとって不便であるとともに、管理者の営業終了処理が遅くなるといった別の問題が生じる。しかし、精算機に貸出部４０を備えて貸出機能付精算機１０を構成することにより、精算機の設置台数を減らすことなく、異常時において、貸出部４０で貸出処理することができる。
【００７４】
また、送受信部４２で復旧信号を受信した後、貸出部カバー５１が開放状態であることをカバーセンサ４６で検出し、貸出部カバー５１が開放状態であることを遊技店管理装置１２０に送信できるため、早期に開放された貸出部カバー５１を閉じて、速やかに、貸出部カバー５１によって貸出機構４１の利用が規制された通常状態にすることができる。
【００７５】
なお、上述の説明では、電子錠４３で貸出部カバー５１の開閉を規制し、電子錠４３が解錠した状態で、スタッフ等の管理者によって貸出部カバー５１を開ける構成であったが、図９に示すように、電子錠４３の代わりに、貸出部カバー５１の開閉制御と開閉駆動とを兼ね備えたソレノイド４７を備えてもよい。この場合、貸出部カバー５１の開状態もソレノイド４７で維持できるため、上述の説明の電子ストッパ４４も不要となる。
【００７６】
まず、ソレノイド４７を備えた貸出機能付精算機１０における貸出処理フロー図である図１０に示すように、異常信号を送受信部４２が受信すると（ステップｕ１）、貸出機能付精算機１０における貸出処理を開始し（ステップｕ２）、貸出処理開始を報知するため報知ランプ４５を点灯させるとともに、ソレノイド４７を開駆動する（ステップｕ３）。
【００７７】
そして、遊技者によって紙幣投入口４１ａに紙幣が投入されるまで（ステップｕ５：Ｎｏ）、ＬＣＤ２１に「紙幣を投入してください」と表示し（ステップｕ４）、紙幣投入口４１ａに紙幣が投入されると（ステップｕ５：Ｙｅｓ）、遊技用記録媒体を発行し（ステップｕ６）、貸出機能付精算機１０による貸出処理フローにおける遊技用記録媒体の発行処理を終了する（ステップｕ７）。
【００７８】
この貸出機能付精算機１０による遊技用記録媒体の発行処理（ステップｕ４〜６）は、送受信部４２が復旧信号を受信するまで繰り返され（ステップｕ８：Ｎｏ）、送受信部４２が復旧信号を受信すると（ステップｕ８：Ｙｅｓ）、ソレノイド４７を閉駆動する。さらには、報知ランプ４５を消灯し（ステップｕ９）、貸出機能付精算機１０による遊技用記録媒体の貸出機能を停止し（ステップｕ１０）、貸出機能付精算機１０を備えた遊技システム１における貸出処理フローを終了する。
【００７９】
この場合、電子錠４３を備えた貸出機能付精算機１０による効果に加え、ソレノイド４７で開閉規制と開閉駆動を行うことができるため、送受信部４２が受信する異常信号や復旧信号に速やかに対応することができる。
【００８０】
この発明の構成と、上述の実施形態との対応において、
この発明の貸出手段は、貸出部４０に対応し、
以下、同様に、
精算手段は、精算部３０に対応し、
貸出手段の操作部は、紙幣投入口４１ａ，操作ボタン４１ｂに対応し、
カバー体は、貸出部カバー５１に対応し、
規制手段は、電子錠４３及びソレノイド４７に対応し、
通常使用時は、正常時に対応し、
非通常使用時は、異常時に対応し、
精算機は、貸出機能付精算機１０に対応し、
精算機本体の前面は、本体前面扉１０ａに対応し、
枢動部は、枢動軸部５２及びスライド軸受け５３、あるいは枢動軸部５２及びへ字状軸受け５６に対応し、
非通常状態情報は、異常信号に対応し、
制御手段は、ＣＰＵ２０に対応し、
報知手段は、報知ランプ４５に対応するも
この発明は、上述の実施形態の構成のみに限定されるものではなく、多くの実施の形態を得ることができる。
【００８１】
例えば、図１１に示すように、枢動軸部５２の軸を受けるスライド軸受け５３の代わりにへ字状軸受け５６を用いてもよい。この場合、へ字状軸受け５６の下端を本体前面扉１０ａ内側に枢支する。したがって、へ字状軸受け５６の上端で枢動軸部５２の軸を受けているため、貸出部カバー５１の開動作に伴い（図１１（ｂ））、へ字状軸受け５６の下端を枢動中心として、へ字状軸受け５６が枢動して枢動軸部５２が前方移動する（図１１（ｃ））。これにより、スライド軸受け５３で枢動軸部５２の軸を受ける場合と同様に、閉状態に対して１８０度まで貸出部カバー５１を開くことができる（図１１（ｄ））。
【００８２】
また、検出センサ１７０を貸出機能付精算機１０に備えてもよい。さらには、上述の説明では、検出センサ１７０で検出した異常情報を、遊技店管理装置１２０を介して異常信号として送受信部４２で受信したが、異常信号を検出センサ１７０から直接受信する構成であってもよい。
【００８３】
また、上述の説明においては、異常時において、報知ランプ４５を点灯させて異常時であることを報知する構成であったが、正常時と異常時とで点灯パターンを変更して異常時であることを報知する構成であってもよい。
【００８４】
さらにまた、貸出ユニット１４０にＬＣＤを備え、異常時において、貸出機能付精算機１０の貸出部４０が利用できることを貸出ユニット１４０のＬＣＤに画面表示する構成であってもよい。  
また、電子錠４３とソレノイド４７とを併用してもよい。
【符号の説明】
【００８５】
１０…貸出機能付精算機
１０ａ…本体前面扉
２０…ＣＰＵ
３０…精算部
４０…貸出部
４１ａ…紙幣投入口
４１ｂ…操作ボタン
４３…電子錠
４５…報知ランプ
４７…ソレノイド
５１…貸出部カバー
５２…枢動軸部
５３…スライド軸受け
５６…へ字状軸受け
【図１】
0005527144.tif 000002
【図２】
0005527144.tif 000003
【図３】
0005527144.tif 000004
【図４】
0005527144.tif 000005
【図５】
0005527144.tif 000006
【図６】
0005527144.tif 000007
【図７】
0005527144.tif 000008
【図８】
0005527144.tif 000009
【図９】
0005527144.tif 000010
【図１０】
0005527144.tif 000011
【図１１】
0005527144.tif 000012